(57)【要約】  【課題】  タイトルを早送り再生中に、早送り再生対象がタイトルの終端に達した時にタイトルを終了させずに自動的にポーズをかけることができる機能を有する光ディスク再生装置を提供する。  【解決手段】  光ディスク１に記録されたタイトルを早送り再生中に、ビデオオブジェクトユニット内のデータサーチ情報に含まれるサーチ情報およびプログラムチェーン情報に基づいて、早送り再生対象がタイトルの終端に達したと判定した時、この時点で早送り再生を停止させて静止画を表示させる制御を行うシステムコントローラ２２を備えた。これにより、例えば、映画のクライマックスなどを見るためのユーザによる操作タイミングを気にするような再生キーの操作は不要となり、使い勝ってが向上する。【選択図】      図１
2005150871.tif 000002
【特許請求の範囲】
【請求項１】
光ディスクに記録された情報を再生する光ディスク再生装置において、光ディスクに記
録されたタイトルを早送り再生中に、ビデオオブジェクトユニット内のデータサーチ情報
に含まれるプログラムチェーン情報に基づいてプログラムチェーン内の早送り再生対象の
現セルが最終セルであるか否かを判定する最終セル判定手段と、前記早送り再生対象の現
セルが最終セルであると判定された場合にビデオオブジェクトユニット内のサーチ情報に
基づいて飛び先のフォワード情報が飛び先の無いことを示す所定値になっているか否かを
判定する飛び先判定手段と、前記飛び先のフォワード情報が飛び先の無いことを示す所定
値になっていると判定された場合にプログラムチェーン情報のネクストプログラムチェー
ンナンバーがゼロであるか否かを判定するゼロ判定手段と、前記ネクストプログラムチェ
ーンナンバーがゼロであると判定された場合に早送り再生を停止させて静止画を表示させ
るポーズ処理を行うポーズ処理手段とを有するシステムコントローラを備えたことを特徴
とする光ディスク再生装置。
【請求項２】
光ディスクに記録された情報を再生する光ディスク再生装置において、光ディスクに記
録されたタイトルを早送り再生中に、ビデオオブジェクトユニット内のデータサーチ情報
に含まれるサーチ情報およびプログラムチェーン情報に基づいて、早送り再生対象がタイ
トルの終端に達したと判定した時、この時点で早送り再生を停止させて静止画を表示させ
る制御を行うシステムコントローラを備えたことを特徴とする光ディスク再生装置。
【請求項３】
前記システムコントローラは、光ディスクに記録されたタイトルを早送り再生中に、ビ
デオオブジェクトユニット内のデータサーチ情報に含まれるプログラムチェーン情報に基
づいてプログラムチェーン内の早送り再生対象の現セルが最終セルであるか否かを判定す
る最終セル判定手段と、前記早送り再生対象の現セルが最終セルであると判定された場合
にビデオオブジェクトユニット内のサーチ情報に基づいて飛び先のフォワード情報が飛び
先の無いことを示す所定値になっているか否かを判定する飛び先判定手段と、前記飛び先
のフォワード情報が飛び先の無いことを示す所定値になっていると判定された場合にプロ
グラムチェーン情報のネクストプログラムチェーンナンバーがゼロであるか否かを判定す
るゼロ判定手段と、前記ネクストプログラムチェーンナンバーがゼロであると判定された
場合に早送り再生を停止させて静止画を表示させるポーズ処理を行うポーズ処理手段とを
有することを特徴とする請求項２に記載の光ディスク再生装置。
【発明の詳細な説明】
【技術分野】
【０００１】
本発明は、光ディスクに記録された情報を再生する光ディスク再生装置に関し、特に、
早送り再生中においてポーズをかけることができる機能を有する光ディスク再生装置に関
する。
【背景技術】
【０００２】
従来から光ディスク再生装置では、光ディスクの情報を通常の速さで再生を行う再生機
能の他に、高速で早送り再生（ＦＦ）を行う早送り再生機能を有している。例えば映画情
報が記録されている光ディスクとしてのＤＶＤ（Digital Versatile Disc）を光ディスク
再生装置にセットして、ユーザの操作により、そのＤＶＤを早送り再生すると、映画タイ
トル（映画１本分の情報）における静止画が飛ばされた状態でディスプレイ装置に表示さ
れる。
【特許文献１】特開平１１−３０６６４０号公報
【特許文献２】特開２０００−１４９５１４号公報
【発明の開示】
【発明が解決しようとする課題】
【０００３】
しかしながら、ユーザが、例えば、ある映画タイトルのクライマックスを見たいために
、早送りにて映像の静止画を飛ばして行き、早送り再生対象がタイトルの終端に来た時に
ポーズをかけたい時、ユーザによる再生キーの押下のタイミングが一瞬遅れたりすると、
光ディスク再生装置は当該タイトルに対する終了の処理をしてしまって、例えば、メニュ
ーの表示処理や別のタイトルにジャンプする処理などに移ってしまったりする。
【０００４】
即ち、従来の光ディスク再生装置は、早送り再生中に、自動的にポーズをかける処理を
行う機能を有しないので、ユーザによる再生キーの押下のタイミングが一瞬遅れたりする
と、タイトルの早送り再生が終了し、メニューの表示処理や別のタイトルにジャンプする
処理などに移ってしまったりする。したがって、クライマックスなどを見るためには、も
う一度、最初から早送りにて映像の静止画を飛ばして行き、早送り再生対象がタイトルの
終端にきた時に、ユーザが再生キーの押下を行う必要があり、ユーザにとっては二度手間
になるので、このような従来の光ディスク再生装置では、使い勝ってが劣るという課題が
生じる。
【０００５】
なお、特許文献１の従来技術では、タイトルの単独再生または連続再生を制御するよう
にしたものであり、タイトルの終端でポーズを自動的にかけるものではないので、上記の
ような課題を解決できるものではない。
【０００６】
また、特許文献２の従来技術では、各タイトルに対応した再生動作を開始する前に詳細
な設定内容を把握すると共に、その設定を容易に行うことができるようにしたものであり
、タイトルの終端でポーズを自動的にかけるものではないので、上記のような課題を解決
できるものではない。
【０００７】
本発明は、上記のような課題を解決するためになされたもので、タイトルを早送り再生
中に、早送り再生対象がタイトルの終端に達した時にタイトルを終了させずに自動的にポ
ーズをかけることができる機能を有する光ディスク再生装置を提供することを目的とする
。
【課題を解決するための手段】
【０００８】
上記目的を達成するために、請求項１の発明は、光ディスクに記録されたタイトルを早
送り再生中に、ビデオオブジェクトユニット内のデータサーチ情報に含まれるプログラム
チェーン情報に基づいてプログラムチェーン内の早送り再生対象の現セルが最終セルであ
るか否かを判定する最終セル判定手段と、前記早送り再生対象の現セルが最終セルである
と判定された場合にビデオオブジェクトユニット内のサーチ情報に基づいて飛び先のフォ
ワード情報が飛び先の無いことを示す所定値になっているか否かを判定する飛び先判定手
段と、前記飛び先のフォワード情報が飛び先の無いことを示す所定値になっていると判定
された場合にプログラムチェーン情報のネクストプログラムチェーンナンバーがゼロであ
るか否かを判定するゼロ判定手段と、前記ネクストプログラムチェーンナンバーがゼロで
あると判定された場合に早送り再生を停止させて静止画を表示させるポーズ処理を行うポ
ーズ処理手段とを有するシステムコントローラを備えたことを特徴とする光ディスク再生
装置を提供する。
【０００９】
この構成において、光ディスクに記録されたタイトルを早送り再生中に、システムコン
トローラは、ビデオオブジェクトユニット内のデータサーチ情報に含まれるプログラムチ
ェーン情報に基づいてプログラムチェーン内の早送り再生対象の現セルが最終セルである
か否かを最終セル判定手段により判定し、前記早送り再生対象の現セルが最終セルである
と判定された場合にビデオオブジェクトユニット内のサーチ情報に基づいて飛び先のフォ
ワード情報が飛び先の無いことを示す所定値になっているか否かを飛び先判定手段により
判定する。
【００１０】
そして、前記飛び先のフォワード情報が飛び先の無いことを示す所定値になっていると
判定された場合に、プログラムチェーン情報のネクストプログラムチェーンナンバーがゼ
ロであるか否かをゼロ判定手段により判定する。なお、タイトルがプログラムチェーン１
個で構成されている場合は、前記飛び先が無いので、前記飛び先判定手段により飛び先が
無いと判定された時、ポーズ処理手段によるポーズ処理に移り、早送り再生を停止させて
静止画を表示させる。
【００１１】
タイトルが複数構成されている場合は、前記飛び先のフォワード情報が飛び先の無いこ
とを示す所定値になっていると判定されて、更に、プログラムチェーン情報のネクストプ
ログラムチェーンナンバーがゼロであるか否かをゼロ判定手段により判定する。そして、
プログラムチェーン情報のネクストプログラムチェーンナンバーがゼロであると判定され
ると、ポーズ処理手段によるポーズ処理に移り、早送り再生を停止させて静止画を表示さ
せる。
【００１２】
この構成によれば、タイトルを早送り再生中に、早送り再生対象がタイトルの終端に達
した時にタイトルを終了させずに自動的にポーズをかけることができ、これにより、例え
ば、映画のクライマックスなどを見るためのユーザによる操作タイミングを気にするよう
な再生キーの操作は不要となり、使い勝ってが向上する。
【００１３】
請求項２の発明は、光ディスクに記録された情報を再生する光ディスク再生装置におい
て、光ディスクに記録されたタイトルを早送り再生中に、ビデオオブジェクトユニット内
のデータサーチ情報に含まれるサーチ情報およびプログラムチェーン情報に基づいて、早
送り再生対象がタイトルの終端に達したと判定した時、この時点で早送り再生を停止させ
て静止画を表示させる制御を行うシステムコントローラを備えたことを特徴とする光ディ
スク再生装置を提供する。
【００１４】
この構成において、光ディスクに記録されたタイトルを早送り再生中に、システムコン
トローラは、ビデオオブジェクトユニット内のデータサーチ情報に含まれるサーチ情報お
よびプログラムチェーン情報に基づいて、早送り再生対象がタイトルの終端に達したと判
定した時、この時点で早送り再生を停止させて静止画を表示させる制御を行う。
【００１５】
この構成によれば、タイトルを早送り再生中に、早送り再生対象がタイトルの終端に達
した時にタイトルを終了させずに自動的にポーズをかけることができ、これにより、例え
ば、映画のクライマックスなどを見るためのユーザによる操作タイミングを気にするよう
な再生キーの操作は不要となり、使い勝ってが向上する。
【００１６】
請求項３の発明では、請求項２の発明において、システムコントローラは、光ディスク
に記録されたタイトルを早送り再生中に、ビデオオブジェクトユニット内のデータサーチ
情報に含まれるプログラムチェーン情報に基づいてプログラムチェーン内の早送り再生対
象の現セルが最終セルであるか否かを判定する最終セル判定手段と、前記早送り再生対象
の現セルが最終セルであると判定された場合にビデオオブジェクトユニット内のサーチ情
報に基づいて飛び先のフォワード情報が飛び先の無いことを示す所定値になっているか否
かを判定する飛び先判定手段と、前記飛び先のフォワード情報が飛び先の無いことを示す
所定値になっていると判定された場合にプログラムチェーン情報のネクストプログラムチ
ェーンナンバーがゼロであるか否かを判定するゼロ判定手段と、前記ネクストプログラム
チェーンナンバーがゼロであると判定された場合に早送り再生を停止させて静止画を表示
させるポーズ処理を行うポーズ処理手段とを有するので、タイトルを早送り再生中に、早
送り再生対象がタイトルの終端に達した時にタイトルを終了させずに自動的にポーズをか
けることができる。
【発明の効果】
【００１７】
以上のように本発明によれば、光ディスクに記録されたタイトルを早送り再生中に、ビ
デオオブジェクトユニット内のデータサーチ情報に含まれるプログラムチェーン情報に基
づいてプログラムチェーン内の早送り再生対象の現セルが最終セルであるか否かを判定す
る最終セル判定手段と、前記早送り再生対象の現セルが最終セルであると判定された場合
にビデオオブジェクトユニット内のサーチ情報に基づいて飛び先のフォワード情報が飛び
先の無いことを示す所定値になっているか否かを判定する飛び先判定手段と、前記飛び先
のフォワード情報が飛び先の無いことを示す所定値になっていると判定された場合にプロ
グラムチェーン情報のネクストプログラムチェーンナンバーがゼロであるか否かを判定す
るゼロ判定手段と、前記ネクストプログラムチェーンナンバーがゼロであると判定された
場合に早送り再生を停止させて静止画を表示させるポーズ処理を行うポーズ処理手段とを
有するシステムコントローラを備えたので、タイトルを早送り再生中に、早送り再生対象
がタイトルの終端に達した時にタイトルを終了させずに自動的にポーズをかけることがで
き、これにより、例えば、映画のクライマックスなどを見るためのユーザによる操作タイ
ミングを気にするような再生キーの操作は不要となり、使い勝ってが向上する。
【００１８】
また、本発明によれば、光ディスクに記録されたタイトルを早送り再生中に、ビデオオ
ブジェクトユニット内のデータサーチ情報に含まれるサーチ情報およびプログラムチェー
ン情報に基づいて、早送り再生対象がタイトルの終端に達したと判定した時、この時点で
早送り再生を停止させて静止画を表示させる制御を行うシステムコントローラを備えたの
で、タイトルを早送り再生中に、早送り再生対象がタイトルの終端に達した時にタイトル
を終了させずに自動的にポーズをかけることができ、これにより、例えば、映画のクライ
マックスなどを見るためのユーザによる操作タイミングを気にするような再生キーの操作
は不要となり、使い勝ってが向上する。
【発明を実施するための最良の形態】
【００１９】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２０】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２１】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２２】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２３】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２４】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００２５】
システムコントローラ２２は、本実施形態の特徴とする構成要素として、光ディスク１
に記録されたタイトルを早送り再生中に、ビデオオブジェクトユニット（ＶＯＢＵ）内の
データサーチ情報（ＤＳＩ）に含まれるプログラムチェーン情報（ＰＧＣＩ）に基づいて
プログラムチェーン（ＰＧＣ）内の早送り再生対象の現セルが最終セルであるか否かを判
定する最終セル判定手段２２１と、前記早送り再生対象の現セルが最終セルであると判定
された場合にビデオオブジェクトユニット（ＶＯＢＵ）内のサーチ情報（ＳＲＩ）に基づ
いて飛び先のフォワード情報（ＦＷＤＩ）が飛び先の無いことを示す所定値になっている
か否かを判定する飛び先判定手段２２２と、前記飛び先のフォワード情報（ＦＷＤＩ）が
飛び先の無いことを示す所定値になっていると判定された場合にプログラムチェーン情報
（ＰＧＣＩ）のネクストプログラムチェーンナンバー（Ｎｅｘｔ＿ＰＧＣＮ）がゼロであ
るか否かを判定するゼロ判定手段２２３と、前記ネクストプログラムチェーンナンバー（
Ｎｅｘｔ＿ＰＧＣＮ）がゼロであると判定された場合に早送り再生を停止させて静止画を
表示させるポーズ処理を行うポーズ処理手段２２４とを有する。
【００２６】
ビデオオブジェクトユニット（ＶＯＢＵ）内のサーチ情報（ＳＲＩ）であるビデオオブ
ジェクトユニットサーチ情報（ＶＯＢＵ＿ＳＲＩ）とは、当該ビデオオブジェクトユニッ
ト（ＶＯＢＵ）からの前後に再生されるビデオオブジェクトユニット（ＶＯＢＵ）のアド
レスをマッピングした情報のことを言う。プログラムチェーン情報（ＰＧＣＩ）とは、プ
ログラムチェーン（ＰＧＣ）と呼ばれる再生単位を再生するための情報のことを言い、タ
イトルはプログラムチェーン（ＰＧＣ）１個以上で構成される。
【００２７】
図２は本実施形態においてＤＶＤビデオの光ディスクに記録されているデータ構造を示
す図である。図２において、ビデオオブジェクトセット（ＶＯＢＳ）は、複数のビデオオ
ブジェクト（ＶＯＢ）、即ち、（Ｖ０Ｂ＿ＩＤＮ１），（Ｖ０Ｂ＿ＩＤＮ２），・・・，
（Ｖ０Ｂ＿ＩＤＮｉ）から構成される。前記ＩＤＮ１，ＩＤＮ２，・・・，ＩＤＮｉは、
識別番号を示す。そして、各ビデオオブジェクト（ＶＯＢ）は複数のセル（Ｃｅｌｌ）か
ら構成されている。例えば、ビデオオブジェクト（Ｖ０Ｂ＿ＩＤＮ１）は、複数のセル（
Ｃ＿ＩＤＮ１），（Ｃ＿ＩＤＮ２），・・・，（Ｃ＿ＩＤＮｊ）から構成される。なお、
前記ＩＤＮ１，ＩＤＮ２，・・・，ＩＤＮｊは、識別番号を示す。
【００２８】
例えば、セル（Ｃ＿ＩＤＮ１）は、複数のビデオオブジェクトユニット（ＶＯＢＵ）か
ら構成される。各ビデオオブジェクトユニット（ＶＯＢＵ）は、ナビゲーションパック（
ＮＶ＿ＰＣＫ）、オーディオパック（Ａ＿ＰＣＫ）、ビデオパック（Ｖ＿ＰＣＫ）、およ
びサブピクチャパック（ＳＰ＿ＰＣＫ）を含み構成される。
【００２９】
前記ナビゲーションパック（ＮＶ＿ＰＣＫ）および前記オーディオパック（Ａ＿ＰＣＫ
）は、例えば２０４８バイトで構成され、例えば、１４バイトのパックヘッダー（Ｐａｃ
ｋ  ｈｅａｄｅｒ）、２４バイトのシステムヘッダー（Ｓｙｓｔｅｍ  ｈｅａｄｅｒ）、
６バイトのパケットヘッダー（Ｐａｃｋｅｔ  ｈｅａｄｅｒ）、１バイトのサブストリー
ム識別子（Ｓｕｂ＿ｓｔｒｅａｍ＿ｉｄ）、９７９バイトのプレイコントロール情報デー
タ（ＰＣＩ  ｄａｔａ）、６バイトのパケットヘッダー（Ｐａｃｋｅｔ  ｈｅａｄｅｒ）
、１バイトのサブストリーム識別子（Ｓｕｂ＿ｓｔｒｅａｍ＿ｉｄ）、および１０１７バ
イトのデータサーチ情報データ（ＤＳＩ  ｄａｔａ）から構成される。
【００３０】
６バイトのパケットヘッダー（Ｐａｃｋｅｔ  ｈｅａｄｅｒ）と１バイトのサブストリ
ーム識別子（Ｓｕｂ＿ｓｔｒｅａｍ＿ｉｄ）と９７９バイトのプレイコントロール情報デ
ータ（ＰＣＩ  ｄａｔａ）とにより、プレイコントロールパケット（ＰＣＩ＿ＰＫＴ）を
構成する。６バイトのパケットヘッダー（Ｐａｃｋｅｔ  ｈｅａｄｅｒ）と１バイトのサ
ブストリーム識別子（Ｓｕｂ＿ｓｔｒｅａｍ＿ｉｄ）と１０１７バイトのデータサーチ情
報データ（ＤＳＩ  ｄａｔａ）とにより、データサーチ情報パケット（ＤＳＩ＿ＰＫＴ）
を構成する。
【００３１】
１０１７バイトで構成されるデータサーチ情報データ（ＤＳＩ  ｄａｔａ）は、３２バ
イトのデータサーチ情報ジェネラル情報、１４８バイトのシームレス再生情報（ＳＭＩ＿
ＰＢＩ）、５４バイトのシームレスアングル情報（ＳＭＬ＿ＡＧＬＩ）、１６８バイトの
ビデオオブジェクトユニットサーチ情報（ＶＯＢＵ＿ＳＲＩ）、１４４バイトの同期情報
（ＳＹＮＣＩ）、および４７１バイトのリザーブド（ｒｅｓｅｒｖｅｄ）から構成される
。
【００３２】
１６８バイトのビデオオブジェクトユニットサーチ情報（ＶＯＢＵ＿ＳＲＩ）は、４バ
イトのビデオのフォワード情報（ＦＷＤＩ  Ｖｉｄｅｏ）と、１６０バイトのデータ領域
と、４バイトのビデオのバックワード情報（ＢＷＤＩ  Ｖｉｄｅｏ）とから構成される。
ビデオのフォワード情報（ＦＷＤＩ  Ｖｉｄｅｏ）は、ビデオストリーム（ナビゲーショ
ンパックのスタートアドレス）においての次のビデオオブジェクトユニット（ＶＯＢＵ）
のスタートアドレスを示す。ビデオのバックワード情報（ＢＷＤＩ  Ｖｉｄｅｏ）は、ビ
デオストリーム（ナビゲーションパックのスタートアドレス）においての以前のビデオオ
ブジェクトユニット（ＶＯＢＵ）のスタートアドレスを示す。
【００３３】
図３は本実施形態においてタイトルの終端でポーズをかける処理を説明するためのフロ
ーチャートである。このフローチャートを参照して、タイトルの終端でポーズをかける処
理について説明する。
【００３４】
本実施形態の光ディスク再生装置にＤＶＤビデオの光ディスク１をセットした後、操作
部２１の早送りキーを押下すると（ステップＳ１）、光ディスク１の情報の早送り再生が
開始され、即ち、静止画の早送り再生が開始される（ステップＳ２）。そして、早送り再
生中に、システムコントローラ２２における最終セル判定手段２２１は、ビデオオブジェ
クトユニット（ＶＯＢＵ）内のデータサーチ情報（ＤＳＩ）に含まれるプログラムチェー
ン情報（ＰＧＣＩ）に基づいてプログラムチェーン（ＰＧＣ）内の早送り再生対象の現セ
ルが最終セルであるか否かを判定する。
【００３５】
プログラムチェーン（ＰＧＣ）はセル（Ｃｅｌｌ）と呼ばれる再生単位に分かれている
が、プログラムチェーン（ＰＧＣ）にはセル（Ｃｅｌｌ）の再生テーブル（Ｃ＿ＰＢＩＴ
）が存在し、その再生テーブル（Ｃ＿ＰＢＩＴ）の数を数えることで、プログラムチェー
ン（ＰＧＣ）内のセル（Ｃｅｌｌ）の数が判る。即ち、プログラムチェーン（ＰＧＣ）は
必ずセル（Ｃｅｌｌ♯１）から始まるので最終セル（Ｃｅｌｌ）も判る。これにより、再
生セル判定手段２２１は、早送り再生中に最終セル（Ｃｅｌｌ）を判断できる。
【００３６】
そして、最終セル判定手段２２１は、プログラムチェーン（ＰＧＣ）内の早送り再生対
象の現セルが最終セルであると判定すると、飛び先判定手段２２２は、ビデオオブジェク
トユニット（ＶＯＢＵ）内のサーチ情報（ＳＲＩ）に基づいて飛び先のフォワード情報（
ＦＷＤＩ）が飛び先の無いことを示す０ｘ３ＦＦＦＦＦＦＦになっているか否かを判定す
る。
【００３７】
タイトルがプログラムチェーン（ＰＧＣ）１個で構成されている場合は、飛び先判定手
段２２２は、飛び先のフォワード情報（ＦＷＤＩ）が０ｘ３ＦＦＦＦＦＦＦになっている
と判定し、そして、その先には早送り再生対象の飛び先のセル（Ｃｅｌｌ）が無いのが当
然であるので、セル終了＝タイトル終了と判定し、これに応答して、ポーズ処理手段２２
４はポーズ処理を行う。これにより、早送り再生は停止し、この時の静止画がディスプレ
イ装置２０に表示される。
【００３８】
タイトルが複数構成されている場合は、ステップＳ４の処理に引き続き、ゼロ判定手段
２２３は、プログラムチェーン情報（ＰＧＣＩ）のネクストプログラムチェーンナンバー
（Ｎｅｘｔ＿ＰＧＣＮ）がゼロであるか否かを判定する。プログラムチェーン情報（ＰＧ
ＣＩ）内のプログラムチェーンナビゲーションコントロール（ＰＧＣ＿ＮＶ＿ＣＴＬ）を
見ると、ネクストプログラムチェーンナンバー（Ｎｅｘｔ＿ＰＧＣＮ）という情報が有る
。このネクストプログラムチェーンナンバー（Ｎｅｘｔ＿ＰＧＣＮ）は、現プログラムチ
ェーン（ＰＧＣ）の次に再生されるプログラムチェーン（ＰＧＣ）の番号が書かれている
。
【００３９】
タイトルの終端では、ネクストプログラムチェーンナンバー（Ｎｅｘｔ＿ＰＧＣＮ）が
０（ゼロ）になっているので、当該プログラムチェーン（ＰＧＣ）はタイトルの最終プロ
グラムチェーン（ＰＧＣ）であると判定され、その後は前述したようにタイトルがプログ
ラムチェーン（ＰＧＣ）１個で構成されている場合の処理と同様に、ポーズ処理手段２２
４によるポーズ処理が行われ、これにより、早送り再生は停止し、この時の静止画がディ
スプレイ装置２０に表示される。
【００４０】
以上説明したように本実施形態によれば、タイトルを早送り再生中に、早送り再生対象
がタイトルの終端に達した時にタイトルを終了させずに自動的にポーズをかけることがで
き、これにより、例えば、映画のクライマックスなどを見るためのユーザによる操作タイ
ミングを気にするような再生キーの操作は不要となり、使い勝ってが向上する。
【図面の簡単な説明】
【００４１】
【図１】本発明の一実施形態に係る光ディスク再生装置の構成を示すブロック図である。
【図２】前記実施形態においてＤＶＤビデオの光ディスクに記録されているデータ構造を示す図である。
【図３】前記実施形態においてタイトルの終端でポーズをかける処理を説明するためのフローチャートである。
【符号の説明】
【００４２】
１    光ディスク
２２    システムコントローラ
２２１    最終セル判定手段
２２２    飛び先判定手段
２２３    ゼロ判定手段
２２４    ポーズ処理手段
【図１】
2005150871.tif 000003
【図２】
2005150871.tif 000004
【図３】
2005150871.tif 000005